(57)【特許請求の範囲】
【請求項１】
無線送受信部を備えた情報処理本体部と，前記情報処理本体部へ入力を行う入力部と入力信号を送信する無線送受信部を含む無線入力装置とを備えた情報処理装置において，
前記無線入力装置は動作開始時に前記情報処理本体部に送信するための識別情報が設定されたメモリを備え，前記情報処理本体部は利用者の識別情報が格納されたカードを読取るカード読取部を備え，
前記情報処理本体部は，前記無線入力装置の動作開始時に送信されてくる前記識別情報を受信すると，前記カード読取部で読取ったカードの識別情報と照合する認証部を備え，
前記認証部の照合が良好であると前記情報処理本体部は前記無線入力装置からの信号を入力させ，不良の場合は入力を禁止することを特徴とする情報処理装置。
【請求項２】
無線送受信部及び利用者の識別情報が格納されたカードを読取るカード読取部を備えた情報処理本体部と，前記情報処理本体部への入力信号を送信する無線送受信部と入力部を備えた無線入力装置とを備えた情報処理装置における無線入力装置の認証方法であって，
前記情報処理本体部を起動した後，前記無線入力装置から予め内部に設定された識別情報を送信し，
前記情報処理本体部は前記無線入力装置から送信された識別情報を受信すると，前記カード読取部で読取ったカードの識別情報を照合し，
前記照合が良好であるか否かを判別することにより，前記無線入力装置から送信される信号を前記情報処理本体部へ入力させるか，禁止するかの制御を行うことを特徴とする情報処理装置における無線入力装置の認証方法。
【請求項３】
無線送受信部を備えた情報処理本体部と，前記情報処理本体部へ入力を行う入力部と入力信号を送信する無線送受信部を含む無線入力装置とを備えた情報処理装置において，
前記無線入力装置は利用者の指紋または静脈の何れかの読取りパターンを登録したメモリを備え，前記情報処理本体部は指紋または静脈を読取るための読取部を備え，
前記情報処理本体部は，前記無線入力装置が動作開始時に前記メモリに登録された情報の送信信号を受信すると，受信された情報と前記指紋または静脈の読取部で読取った利用者の指紋または静脈の読取りパターンとを照合する認証部を備え，
前記認証部の照合が良好であると前記情報処理本体部は前記無線入力装置からの信号を入力させ，不良の場合は入力を禁止することを特徴とする情報処理装置。
【発明の詳細な説明】
【技術分野】
【０００１】
本発明は情報処理装置及び無線入力装置の認証方法に関する。
【０００２】
パーソナルコンピュータ等の情報処理装置の技術において，無線キーボード，無線マウス等の無線入力装置は本体との接続線が不用で一定の距離内なら自由な位置から操作できることから利用が進められている。このような情報処理装置の無線入力装置は，利用が認められていない他の無線入力装置からの操作が行える可能性がありチェックを行うことが望まれている。
【背景技術】
【０００３】
ワイヤレスキーボードに関する従来の認証方法の例（特許文献１参照）を，図４に示す従来例の説明図を用いて説明する。
【０００４】
図４において，６０はワイヤレスキーボード，６１はＣＰＵ，６２は不揮発性メモリで構成された内部メモリ，６３は読書き可能な不揮発性メモリで構成された外部メモリ，６４はキーマトリクス，６５は無線周波数ブロック，６６はアンテナである。
【０００５】
図４において，ワイヤレスキーボード６０の出荷時に，内部メモリ６２に初期識別コードが記録されると共に外部メモリ６３にフラグ（ＣＰＵ６１に初期識別コードを認識させるためのもの）が記録され，図示されないコンピュータ等の受信機にも初期識別コードが登録される。出荷後は，利用者によって初期識別コードによる認証（ワイヤレスキーボード６０から受信機に初期識別コードが送信され，受信機に登録された初期識別コードと照合して一致する）を行って，ワイヤレスキーボード６０が直ちに使用できる状態となる。複数システムを使用する場合は，複数のワイヤレスキーボードの間で干渉が生じるので，それを避けるため利用者が外部メモリ６３に新固有識別コードを記録すると，フラグが消去され，更に受信機（コンピュータ）にその固有識別コードが登録される。そのフラグが消去された状態になるとＣＰＵ６１は外部メモリ６３の新固有識別コードを識別コードとして受信機に送信する。
【特許文献１】特開２００３−５８９４号公報
【発明の開示】
【発明が解決しようとする課題】
【０００６】
上記図４に示す従来の技術では，ワイヤレスキーボード（無線キーボード）に設定された識別コードとコンピュータの受信機に設定された識別コードとで認証を行う技術であり，ワイヤレスキーボードを使用する利用者が正当であるかについての認証をすることができないという問題がある。
【０００７】
そして，従来の技術では同じ周波数（チャネル）及び識別番号を設定することで，他の無関係な利用者の無線キーボードや無線マウスからコンピュータを操作することが可能となってしまうという問題がある。
【０００８】
また，従来の技術では無線キーボードの個体の識別をするために，煩雑な識別番号やチャネル（無線周波数）の設定をしなければならないという問題があるが，識別番号やチャネルを知る人が同じ識別番号及びチャネルを他の無線キーボードに設定することで，簡単にコンピュータの操作をすることが可能になるという問題があった。
【０００９】
本発明はパーソナルコンピュータ等の情報処理装置への入力操作を行う無線入力装置について，無線入力装置とその利用者について正当であるかの認証をすることができる情報処理装置及び情報処理装置における無線入力装置の認証方法を提供することを目的とする。
【課題を解決するための手段】
【００１０】
図１は本発明の原理構成を示す図である。図中，１はパーソナルコンピュータ等の情報処理装置の中のキーボード，マウス等の入力装置を除いた情報処理本体部（図示省略されたＣＰＵ，メモリ，ハードディスクや，出力部等を含む），１０は制御部，１０ａは認証部，１１は無線入力装置２と無線により通信を行う無線送受信部，１２は磁気，ＩＣ，等の記録内容を読取るカード読取部，２はキーボード，マウス等の無線入力装置，２０は情報処理本体部１の無線送受信部１１と無線により通信を行う無線送受信部，２１は制御部，２２は識別情報（ＩＤ）が登録されたメモリ，２３はキーやマウス等の入力部，２４は電源，３は情報処理装置の利用者の識別情報が登録されたカードである。情報処理本体部１と無線入力装置とで情報処理装置が構成される。このカード３は，磁気カード，ＩＣカード等の接触型のカードだけでなく，非接触型のカードでも良い。また，無線送受信部１１，２０は無線周波数の信号だけでなく，赤外線等の光信号を用いた通信を用いることができる。
【００１１】
なお，カードに記録する情報として，指の指紋情報，指の静脈情報等を記録するようにしてもよいが，その場合，情報処理本体部１にはカード読取部１２の代わりに指紋読取部や，指の静脈読取部等を設けるよう構成し，無線入力装置２のメモリ２２にはこの装置の利用者の指紋情報や静脈情報等を記憶することになる。
【００１２】
図１において，無線入力装置２のメモリ２２には出荷時に決められた識別情報（ＩＤ）が登録されており，カード３にはメモリ２２に登録された識別情報に対応する固有識別情報（同一番号または，メモリ２２の識別情報と予め決められた関係を持つ番号）が登録され，そのカード３を利用者が保持している。情報処理本体部１の電源をオンにすると無線送受信部１１が駆動され，無線入力装置２の電源をオンにすると，無線入力装置２の制御部２１はメモリ２２に登録された識別情報を無線送受信部２０から送信され，これを情報処理本体部１の無線送受信部１１で受信して認証部１０ａに供給する。この時，利用者がカード３をカード読取部１２へ入力すると，読取った識別情報が認証部１０ａへ入力される。認証部１０ａにおいて，無線入力装置２から送られてきた識別情報と，カード読取部１２で読取った識別の照合を行って一致または予め決められた関係がある，すなわち照合が良好（または成立）であることを検出すると，制御部２１は，認証が得られたとして，その後の無線入力装置２の入力部２３からの入力（キー入力や，マウス入力）を表す受信信号を正当なものとして入力可能にし，照合が不良（または不成立）の場合は，制御部２１は無線入力装置２からの受信信号の入力を禁止する。
【発明の効果】
【００１３】
本発明によりパーソナルコンピュータ等の情報処理装置の本体部と無線キーボードや無線マウス等の無線入力装置とが分離された情報処理装置において，無線入力装置の個体を自動的に識別するため，利用者が煩雑なチャネル（無線周波数）及び識別情報を設定する必要を無くし，認証された無線入力装置以外からの情報処理本体部の操作を制限することができるため，情報処理装置のセキュリティを向上することができる。
【発明を実施するための最良の形態】
【００１４】
図２は実施例の構成を示す図である。図中，４，５，６の各符号は上記図１の符号の１，２，３の各号器号の各装置に対応し，４はパーソナルコンピュータ（ＰＣ）本体部，５は無線キーボード，６は磁気カードである。パーソナルコンピュータ本体部４内の４０はＣＰＵ，４１はＲＯＭ，４２はＲＡＭ，４３はハードディスク（ＨＤＤ），４４はＣＤドライブ，４５はＣＰＵのバスに対するインタフェースを備え，無線キーボード５から送信されたキー入力信号の無線信号を受信するアンテナを含む無線受信部，４６は磁気カードを読み取るカードリーダである。また，無線キーボード５の内部の５０は無線信号によりキー入力信号を送信するアンテナを含む無線送信部，５１は制御部，５２はキーマトリクス，５３は識別番号を格納するメモリ，５４は電源部である。６は予め利用者に対応した識別番号を格納した磁気カードである。なお，この実施例では磁気カード６を使用し，パーソナルコンピュータ本体部４に磁気カードのカードリーダ４６を使用しているが，磁気カードの代わりにスマートカード（smart card) 等のＩＣカードを用い，カードリーダ４６としてＩＣカードを読取るＩＣカードリーダを設けるようにしてもよい。
【００１５】
図３は実施例の動作フローであり，図２のパーソナルコンピュータ本体部４のＣＰＵ４０において無線キーボード５との連携により認証が行われる。予め無線キーボード５のメモリ５３に固有の識別番号を設定すると共に，磁気カード６にもメモリ５３の識別番号と同じ番号または，メモリ５３の識別番号と予め決められた特定の番号を登録する。
【００１６】
パーソナルコンピュータ本体部４の電源をオンにすると，無線受信部４５は無線信号の受信を待機する状態となる（図３のＳ１）。一方，無線キーボード５で電源部５４をオンにすると，制御部５１の制御によりメモリ５３に設定された識別番号を含む無線信号が無線送信部５０から送信される（図３のＳ２）。パーソナルコンピュータでは，無線受信部で識別番号を受信したか判別し（図３のＳ３），受信しないとパーソナルコンピュータ本体部４の動作は抑止するが，受信するとカードリーダ４６による読取りを行う（同Ｓ４）。この時，利用者が自分が保持する磁気カード６をカードリーダ４６の読取口に挿入すると，読取りが行われる。これによりカードリーダ４６で読取った識別番号と無線キーボード５から受信した識別番号とを照合し，一致するか判別する（図３のＳ５）。この照合において，一致が検出されると，無線キーボード５からの入力信号の受信を開始し（図３のＳ６），一致が検出されないと無線キーボード５からの信号の受信が禁止される（同Ｓ７）。
【００１７】
図２の実施例では，無線入力装置として無線キーボードを使用した例を示したが，無線マウスや，その他の入力装置について同様の技術により実施することができる。また，パーソナルコンピュータ本体部４には無線受信部４５を設け，無線キーボード５に無線送信部５０を設けているが，パーソナルコンピュータ本体部４と無線キーボード５の間で双方向の通信を行うことができるように，パーソナルコンピュータ本体部４と無線キーボード５のそれぞれに無線送受信部を設けるように変更することができる。その場合，パーソナルコンピュータ本体部４から無線キーボード５を起動させて，認証を開始する等の制御を行うことができる。
【００１８】
また，図２の実施例では無線キーボード５と磁気カード６の識別番号を照合して，一致を検出するか否かを判定しているが，両識別番号が予め決められた特定の関係（相関関係）を持っているかを判定するようにしてもよい。
【００１９】
上記の説明では，パーソナルコンピュータ本体部４の無線受信部４５と無線キーボード５の無線送信部５０の間の無線通信に使用するチャネル（無線周波数）について触れていないが，両者が通信を行う時に使用するチャネルは一致することが前提である（または，チャネルを識別情報と共に設定することで，チャネルを可変可能とすることができる）。
【００２０】
（付記１）  無線送受信部を備えた情報処理本体部と，前記情報処理本体部へ入力を行う入力部と入力信号を送信する無線送受信部を含む無線入力装置とを備えた情報処理装置において，前記無線入力装置は動作開始時に前記情報処理本体部に送信するための識別情報が設定されたメモリを備え，前記情報処理本体部は利用者の識別情報が格納されたカードを読取るカード読取部を備え，前記情報処理本体部は，前記無線入力装置の動作開始時に送信されてくる前記識別情報を受信すると，前記カード読取部で読取ったカードの識別情報と照合する認証部を備え，前記認証部の照合が良好であると前記情報処理本体部は前記無線入力装置からの信号を入力させ，不良の場合は入力を禁止することを特徴とする情報処理装置。
【００２１】
（付記２）  付記１において，前記情報処理本体部の無線送受信部を無線受信部として構成し，前記無線入力装置の無線送受信部を無線送信部として構成することを特徴とする無線入力装置により動作する情報処理装置。
【００２２】
（付記３）  無線送受信部及び利用者の識別情報が格納されたカードを読取るカード読取部を備えた情報処理本体部と，前記情報処理本体部への入力信号を送信する無線送受信部と入力部を備えた無線入力装置とを備えた情報処理装置における無線入力装置の認証方法であって，前記情報処理本体部を起動した後，前記無線入力装置から予め内部に設定された識別情報を送信し，前記情報処理本体部は前記無線入力装置から送信された識別情報を受信すると，前記カード読取部で読取ったカードの識別情報と照合し，前記照合が良好であるか否かを判別することにより，前記無線入力装置から送信される信号を前記情報処理本体部へ入力させるか，禁止するかの制御を行うことを特徴とする情報処理装置における無線入力装置の認証方法。
【００２３】
（付記４）  無線送受信部を備えた情報処理本体部と，前記情報処理本体部へ入力を行う入力部と入力信号を送信する無線送受信部を含む無線入力装置とを備えた情報処理装置において，前記無線入力装置は利用者の指紋または静脈の何れかの読取りパターンを登録したメモリを備え，前記情報処理本体部は指紋または静脈を読取るための読取部を備え，前記情報処理本体部は，前記無線入力装置が動作開始時に前記メモリに登録された情報の送信信号を受信すると，受信された情報と前記指紋または静脈の読取部で読取った利用者の指紋または静脈の読取りパターンとを照合する認証部を備え，前記認証部の照合が良好であると前記情報処理本体部は前記無線入力装置からの信号を入力させ，不良の場合は入力を禁止することを特徴とする情報処理装置。
【図面の簡単な説明】
【００２４】
【図１】本発明の原理構成を示す図である。
【図２】実施例の構成を示す図である。
【図３】実施例の動作フローを示す図である。
【図４】従来例の説明図である。
【符号の説明】
【００２５】
１          情報処理本体部
１０        制御部
１０ａ      認証部
１１        無線送受信部
１２        カード読取部
２          無線入力装置
２０        無線送受信部
２１        制御部
２２        メモリ
２３        入力部
２４        電源
３          カード
【図１】
0004516038.tif 000002
【図２】
0004516038.tif 000003
【図３】
0004516038.tif 000004
【図４】
0004516038.tif 000005